(57)【要約】【課題】本発明は、送風距離の延長を図った送風装置を提供する。【解決手段】送風装置１は、室内の設置面に取り付けられる筐体４と、該筐体内に支持されて室内の空気を筐体内に取り込むためのファン駆動部と、を備え、筐体は、設置面に取り付けられるベース部２と、該ベース部を覆うカバー部３と、を有し、ファン駆動部によって筐体内に取り込まれた室内の空気を、ベース部とカバー部との隙間Ｄから、設置面に送出するように構成され、カバー部に対向する面の外周部には、筐体の中心Ｐから離れるにしたがって、設置面に近付くように傾斜する第１テーパ面２０５が設けられている。【選択図】図４
2020204293.tif 000002
【特許請求の範囲】
【請求項１】
室内の設置面に取り付けられる筐体と、該筐体内に支持されて前記室内の空気を前記筐体内に取り込むためのファン駆動部と、を備え、
前記筐体は、前記設置面に取り付けられるベース部と、該ベース部を覆うカバー部と、を有し、前記ファン駆動部によって前記筐体内に取り込まれた室内の空気を、前記ベース部と前記カバー部との隙間から、前記設置面に送出するように構成され、
前記ベース部は、前記カバー部に対向する面の外周部に、前記筐体の中心から離れるにしたがって、前記設置面に近付くように傾斜する第１テーパ面が設けられていることを特徴とする送風装置。
【請求項２】
前記カバー部は、前記ベース部に対向する面の外周部に、前記筐体の中心から離れるにしたがって、前記設置面に近付くように傾斜する第２テーパ面が設けられ、
前記第２テーパ面は、前記第１テーパ面と少なくとも対向する位置に設けられていることを特徴とする請求項１に記載の送風装置。
【請求項３】
前記第１テーパ面及び前記第２テーパ面は平行であることを特徴とする請求項２に記載の送風装置。
【請求項４】
前記ベース部と前記カバー部とのうち何れか一方から他方に立設された板状の羽根部を有し、
前記羽根部は、前記筐体の中心を通る仮想直線上に設けられていることを特徴とする請求項１〜３のうち何れか一項に記載の送風装置。
【請求項５】
前記ベース部と前記カバー部との隙間のうち、前記筐体の周方向の一部を塞ぐ塞ぎ部を有していることを特徴とする請求項１〜４のうち何れか一項に記載の送風装置。
【請求項６】
前記カバー部には、吸込み口が設けられ、
該吸込み口の周縁から、前記カバー部を挟んで前記ベース部から離れる方向に筒状に立設され、該離れる方向に進むにしたがってラッパ状に拡径する案内部を有していることを特徴とする請求項１〜５のうち何れか一項に記載の送風装置。
【発明の詳細な説明】
【技術分野】
【０００１】
本発明は、送風装置に関する。
【背景技術】
【０００２】
従来、室内と室外を仕切る窓に向かって送風するサーキュレータが開示されている（例えば、特許文献１参照。）。
【０００３】
特許文献１に開示された従来のサーキュレータは、筐体と、筐体に内蔵された送風機と、を有し、筐体の正面に吸込み口が形成され、筐体の背面に吹出し口が形成されている。このような従来のサーキュレータは、窓のガラス面に吹出し口が対向するように床面に設置され、吹出し口から窓のガラス面に向けて斜め上方に送風することで、ガラス面付近の湿気を逃がして、ガラス面の結露の発生を抑制している。
【先行技術文献】
【特許文献】
【０００４】
【特許文献１】特開２００４-６１０５９公報
【発明の概要】
【発明が解決しようとする課題】
【０００５】
このような従来のサーキュレータは、吹出し口から窓のガラス面に向かって斜め上方に送風される。即ち、従来のサーキュレータは、風が一旦、窓に当たることで力が削がれる。このため、所望の送風距離が得られ難かった。
【０００６】
本発明の目的は、送風距離の延長を図った送風装置を提供することにある。
【課題を解決するための手段】
【０００７】
本発明の送風装置は、室内の設置面に取り付けられる筐体と、該筐体内に支持されて前記室内の空気を前記筐体内に取り込むためのファン駆動部と、を備え、前記筐体は、前記設置面に取り付けられるベース部と、該ベース部を覆うカバー部と、を有し、前記ファン駆動部によって前記筐体内に取り込まれた室内の空気を、前記ベース部と前記カバー部との隙間から、前記設置面に送出するように構成され、前記ベース部は、前記カバー部に対向する面の外周部に、前記筐体の中心から離れるにしたがって、前記設置面に近付くように傾斜する第１テーパ面が設けられていることを特徴とする。
【０００８】
以上のような本発明によれば、ファン駆動部によって筐体内に取り込まれた室内の空気を、ベース部とカバー部との隙間から、設置面に送出するように構成され、ベース部は、カバー部に対向する面の外周部に、筐体の中心から離れるにしたがって、設置面に近付くように傾斜する第１テーパ面が設けられている。即ち、第１テーパ面が設けられていることにより、第１テーパ面に沿って送出された流体（空気）が、設置面に向けて案内されつつ、設置面に沿ってスムーズに移動する。これにより、力の損失を低減しつつ空気を効率よく移動させることできるから、送風距離の延長を図ることができる。
【０００９】
また、カバー部は、ベース部に対向する面の外周部に、筐体の中心から離れるにしたがって、設置面に近付くように傾斜する第２テーパ面が設けられ、第２テーパ面は、第１テーパ面と少なくとも対向する位置に設けられていることが好ましい。即ち、ベース部とカバー部との隙間から送出された空気は、第２テーパ面により乱れが整えられ、第１テーパ面及び第２テーパ面に沿って設置面に向けて案内されて、設置面に沿ってスムーズに移動する。これにより、より一層、送風距離の延長が図られる。
【００１０】
また、第１テーパ面及び第２テーパ面が平行であることが好ましい。これによれば、ベース部とカバー部との隙間から送出された空気が、第１テーパ面及び第２テーパ面の間で整流されて、設置面に沿ってスムーズに移動するから、より一層、送風距離の延長が図られる。
【００１１】
また、ベース部とカバー部とのうち何れか一方から他方に立設された板状の羽根部を有し、  羽根部は、筐体の中心を通る仮想直線上に設けられていることが好ましい。これによれば、羽根部の面に沿って、風の拡散を抑えつつ風の直進性を高めることができる。これにより、より一層、送風距離の延長が図られる。
【００１２】
また、ベース部とカバー部との隙間のうち、筐体の周方向の一部を塞ぐ塞ぎ部を有していることが好ましい。即ち、塞ぎ部によって、ベース部とカバー部との隙間の一部が塞がれることで、塞ぎ部が設けられた場所からは風が送出されず、塞ぎ部が設けられていない場所からは、風量が増加して風が送出される。このように塞ぎ部が設けられていることにより、風が送出される方向とその風量を調整することができる。
【００１３】
また、カバー部には、吸込み口が設けられ、該吸込み口の周縁から、カバー部を挟んでベース部から離れる方向に筒状に立設され、該離れる方向に進むにしたがってラッパ状に拡径する案内部を有していることが好ましい。このような構成によれば、案内部が設けられていることで、吸込み口から空気を吸い込んで、ベース部とカバー部との隙間から送出する流れがつくられるから、室内の空気を効率よく移動させることができる。
【発明の効果】
【００１４】
本発明の送風装置によれば、送風距離の延長を図ることができる。
【図面の簡単な説明】
【００１５】
【図１】本発明の一実施の形態に係る送風装置が設置された状態を示す斜視図である。
【図２】前記送風装置を示す側面図である。
【図３】前記送風装置が駆動することにより室内の空気が移動する様子を説明するための図である。
【図４】前記送風装置を示す断面図である。
【図５】前記送風装置を構成するベース部を示す斜視図である。
【図６】前記ベース部の要部を拡大して示す側面図である。
【図７】前記送風装置を構成するカバー部を示す斜視図である。
【図８】前記送風装置の変形例を示す斜視図である。
【図９】前記送風装置の他の変形例を示す斜視図である。
【発明を実施するための形態】
【００１６】
以下、本発明の一実施形態に係る送風装置１を、図１〜図７を参照して説明する。図１は、本発明の一実施の形態に係る送風装置１が天井面Ｃに設置された状態を示す斜視図である。図２は、送風装置１を示す側面図である。図３は、送風装置１が駆動することにより室内の空気が移動する様子を説明するための図である。
【００１７】
本実施形態の送風装置１は、図１〜３に示すように、天井面Ｃ（設置面）に設置され、室内の流体（空気）を該天井面Ｃに沿って送出して、天井面Ｃ付近に溜まった湿気を含んだ空気を移動させることで、天井面Ｃに生じる結露やカビの発生を抑制するものである。送風装置１は、図２、３に示すように、天井面Ｃに取り付けられるベース部２と、該ベース部２を覆うカバー部３と、ベース部２とカバー部３との間に支持される不図示の遠心ファン（ファン駆動部）と、を有し、ベース部２とカバー部３との隙間Ｄから風を送り出すように構成されている。ベース部２とカバー部３は、筐体４を構成する。本実施形態では、図３に示すように、天井面Ｃの面方向を「水平方向」（矢印Ｘ）と記し、水平方向に直交する方向であって、室内の空気を筐体４内に取り込む方向を「取込み方向」（矢印Ｙ）と記す場合がある。本実施形態の送風装置１は、室内の空気を、取込み方向Ｙに筐体４内に取り込んで、取り込んだ空気を水平方向Ｘに送出するように構成されている。送風装置１は、天井面Ｃ（設置面）の隅部から中央側に離間した位置に間隔をあけて設置されている。
【００１８】
ベース部２は、図４〜６に示すように、円盤状に形成されて、天井面Ｃに設置されるベース本体２０と、ベース本体２０にカバー部３を取り付けるための取付け部２１と、該取付け部２１の周面に連続される３枚（複数）の羽根部２２と、を有して構成されている。
【００１９】
ベース本体２０には、図２、５に示すように、中心Ｐを含む位置に凹状部２００が設けられている。この凹状部２００の底部には、遠心ファンに電力を供給する電源線（不図示）を挿通させる中央孔２０１が形成されている。さらに、ベース本体２０には、カバー部３に対向するベース対向面２０４の外周部に、第１テーパ面２０５が形成されている。第１テーパ面２０５は、天井面Ｃに対する傾斜角θ１（図２に示す）が３０度となるように形成されている。第１テーパ面２０５が設けられていることにより、遠心ファンにより筐体４内に取り込まれた空気が、該第１テーパ面２０５に沿って、天井面Ｃに案内される。
【００２０】
取付け部２１は、図５、６に示すように、３個（複数）設けられている。３個の取付け部２１は、ベース本体２０の中心Ｐから所定の寸法だけ離間した位置に設けられているとともに、周方向に等間隔をあけて設けられている。各取付け部２１は、円筒状に立設されたボス２１０と、該ボス２１０の外周面に連続されてボス２１０を支持する３個（複数）のボス支持部２１１、２１２、２１３と、を有して構成されている。ボス２１０の内周面には、不図示のボルトが螺合されるように雌ねじが切られている。このような取付け部２１は、図４に示すように、カバー部３に形成されたボルト挿通孔３４にボルト１０が挿通され、該ボルト１０がボス２１０の内周面に螺合されることで、カバー部３がベース本体２０に取り付けられるようになっている。ボス２１０の外周面に設けられた３個のボス支持部２１１、２１２、２１３は、ボス２１０の周方向に等間隔をあけて設けられ、そのうち１個のボス支持部２１１には羽根部２２が連続されている。
【００２１】
各羽根部２２は、図５、６に示すように、ベース本体２０からカバー部３に向けて板状に立設されかつ、ベース本体２０の径方向の外方に延在形成されている。即ち、羽根部２２は、ベース本体２０の周方向に直交する面を有し、筐体４の中心Ｐを通る仮想直線Ｌに沿って連続して設けられている。各羽根部２２は、立設方向側（カバー部３側）の端部がカバー部３に当接するように設けられ、径方向の外方の端部が、第１テーパ面２０５の筐体４の中心Ｐ側の内方周縁部２０５ｉに到達するように構成されている。このような羽根部２２が設けられていることにより、筐体４内に取り込まれた空気が、羽根部２２の面２２０に沿って隙間Ｄから送出されるから、風の拡散を抑えつつ風の直進性が高められている。
【００２２】
カバー部３は、図４、７に示すように、中央部に吸込み口３０を有する円形状のカバー本体３１と、該カバー本体３１の周囲に連続される外周縁部３２と、を有して構成されている。また、図１に示すように、カバー部３には、吸込み口３０を覆う覆い部３３が設けられている。図７では、覆い部３３は省略されている。カバー本体３１及び外周縁部３２は、略同じ板厚に形成されているとともに、カバー本体３１は、天井面Ｃと略対向して設けられ、外周縁部３２は、カバー本体３１の径方向外方に向かうにしたがって徐々に天井面Ｃに近付くように傾斜して構成されている。即ち、カバー部３のベース部２に対向する面３００は、カバー本体３１の一部であるカバー本体面３１０と、外周縁部３２の一部である外周縁面３２０（以下では、第２テーパ面３２０と記す場合がある）と、を有して構成されている。
【００２３】
第２テーパ面３２０は、図４に示すように、天井面Ｃに対する傾斜角θ２が３５度となるように形成されている。また、第２テーパ面３２０の筐体４の中心Ｐ側の内方周縁部３２０ｉは、第１テーパ面２０５の内方周縁部２０５ｉより中心Ｐ側に位置するように形成され、第２テーパ面３２０の外方周縁部３２０ａと第１テーパ面２０５の外方周縁部２０５ａは、略対向して設けられている。即ち、第２テーパ面３２０の一部は、第１テーパ面２０５と対向して設けられている。
【００２４】
遠心ファンは、ファン（羽根）と、ファンを駆動するためのモータと、を有して一体に構成されている。ファンは、吸込み口３０から、室内の空気を吸い上げることが可能なように、ベース本体２０に取り付けられている。モータは、中央孔２０１を通された電源線から供給された電力により、ファンを回転させるように構成されている。このような遠心ファンは、室内の空気を、上方（取込み方向Ｙ）に吸い上げて、水平方向Ｘに送出するように構成されている。
【００２５】
このような送風装置１は、以下の手順で天井面Ｃに設置する。まず、電源線をベース部２の中央孔２０１に挿通させて、電源線を遠心ファンに接続しつつ、遠心ファンを凹状部２００の底部にビス固定する。次に、ベース部２を天井面Ｃにビス固定する。最後に、カバー部３をベース部２に近付けて、ボルト１０をカバー部３のボルト挿通孔３４に挿通させて、ベース部２の取付け部２１にボルト１０を螺合して、カバー部３をベース部２に取り付ける。こうして、送風装置１を天井面Ｃに設置する。
【００２６】
このように設置された送風装置１は、遠心ファンが駆動されることにより、吸込み口３０から室内の空気が筐体４内に吸い込まれ、筐体４内に吸い込まれた空気は、ベース部２とカバー部３との隙間Ｄから送風される。ここで、ベース部２は、カバー部３に対向するベース対向面２０４の外周部に、筐体４の中心Ｐから離れるにしたがって、天井面Ｃ（設置面）に近付くように傾斜する第１テーパ面２０５が設けられている。即ち、第１テーパ面２０５が設けられていることにより、第１テーパ面２０５に沿って送出された空気が、天井面Ｃに向けて案内されつつ、天井面Ｃに沿って水平方向Ｘにスムーズに移動する。これにより、力の損失を低減しつつ空気を効率よく移動させることできるから、送風距離の延長を図ることができる。
【００２７】
また、カバー部３は、ベース部２に対向する面３００の外周部に、筐体４の中心Ｐから離れるにしたがって、天井面Ｃ（設置面）に近付くように傾斜する第２テーパ面３２０が設けられ、第２テーパ面３２０は、第１テーパ面２０５と少なくとも対向する位置に設けられている。即ち、ベース部２とカバー部３との隙間Ｄから送出された空気は、第２テーパ面３２０により乱れが整えられ、第１テーパ面２０５及び第２テーパ面３２０に沿って天井面Ｃに向けて案内されて、天井面Ｃに沿って水平方向Ｘにスムーズに移動する。これにより、より一層、送風距離の延長を図ることができる。
【００２８】
また、第１テーパ面２０５及び第２テーパ面３２０が平行となるように構成されている。これによれば、ベース部２とカバー部３との隙間Ｄから送出された空気が、第１テーパ面２０５及び第２テーパ面３２０の間で整流されて、天井面Ｃ（設置面）に沿ってスムーズに移動するから、より一層、送風距離の延長を図ることができる。
【００２９】
また、ベース部２とカバー部３とのうち何れか一方（ベース部２）から他方（カバー部３）に立設された板状の羽根部２２を有し、羽根部２２は、筐体４の中心Ｐを通る仮想直線Ｌに沿って設けられている。これによれば、羽根部２２の面２２０に沿って、風の拡散を抑えつつ風の直進性を高めることができる。これにより、より一層、送風距離の延長を図ることができる。
【００３０】
なお、本発明は、前記実施形態に限定されるものではなく、本発明の目的が達成できる他の構成等を含み、以下に示すような変形例も本発明に含まれる。
【００３１】
前記実施形態では、送風装置１は、天井面Ｃ（設置面）に設置されているが、本発明はこれに限定されるものではない。送風装置は、天井面Ｃに連続される壁面に設置されていてもよく、床面に設置されていてもよい。
【００３２】
前記実施形態では、第１テーパ面２０５は、天井面Ｃに対する傾斜角θ１（図２に示す）が３０度となるように形成され、第２テーパ面３２０は、天井面Ｃに対する傾斜角θ２が３５度となるように形成されているが、本発明はこれに限定されるものではない。第１テーパ面２０５の傾斜角θ１や、第２テーパ面３２０の傾斜角θ２は、それぞれ異なる適宜な角度に設定されていてもよい。または、第１テーパ面及び、第２テーパ面は、設置面に対する傾斜角が略同じ角度となるように構成されていてもよく、第１テーパ面及び、第２テーパ面の各傾斜角は、好ましくは１０度〜４５度の間で、適宜な角度に設定されてもよい。即ち、第１テーパ面及び第２テーパ面は、略平行となるように構成されていてもよい。これによれば、ベース部２とカバー部３との隙間Ｄから送出された空気が、第１テーパ面及び第２テーパ面の間で整流されて、設置面に沿ってスムーズに移動するから、より一層、送風距離の延長が図られる。
【００３３】
また、前記実施形態では、第２テーパ面３２０の一部のみが、第１テーパ面２０５と対向して設けられているが、本発明はこれに限定されるものではない。第２テーパ面３２０の全体が、第１テーパ面２０５と対向して設けられていてもよい。
【００３４】
また、図８に示すように、ベース部２とカバー部３との隙間Ｄの一部を塞ぐ塞ぎ部５が、さらに設けられていてもよい。即ち、塞ぎ部５によって、ベース部２とカバー部３との隙間Ｄの一部が塞がれることで、塞ぎ部５が設けられた場所からは風が送出されず、塞ぎ部５が設けられていない場所からは、風量が増加して風が送出されていてもよい。このように塞ぎ部５が設けられていることにより、風が送出される方向とその風量を調整することができる。
【００３５】
また、図９に示すように、カバー部３に形成された吸込み口３０の周縁から、カバー部３を挟んでベース部２から離れる方向にラッパ状に立設され、該離れる方向に進むにしたがって拡径する案内部６が、さらに設けられていてもよい。このような構成によれば、案内部６が設けられていることで、吸込み口３０から空気を吸い込んで、ベース部２とカバー部３との隙間Ｄから送出する流れがつくられるから、室内の空気を効率よく移動させることができる。
【００３６】
また、前記実施形態では、羽根部２２は、ベース本体２０からカバー部３側に板状に立設形成されているが、本発明はこれに限定されるものではない。羽根部２２は、カバー本体３１からベース部２に向かって立設されていてもよい。
【００３７】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３８】
１        送風装置
２        ベース部
３        カバー部
４        筐体
５        塞ぎ部
６        案内部
２２      羽根部
３０      吸込み口
２０５    第１テーパ面
３００    ベース部に対向する面
３２０    第２テーパ面
Ｃ        天井面（設置面）
Ｄ        隙間
Ｌ        仮想直線
Ｐ        筐体の中心
【図１】
2020204293.tif 000003
【図２】
2020204293.tif 000004
【図３】
2020204293.tif 000005
【図４】
2020204293.tif 000006
【図５】
2020204293.tif 000007
【図６】
2020204293.tif 000008
【図７】
2020204293.tif 000009
【図８】
2020204293.tif 000010
【図９】
2020204293.tif 000011